(57)【要約】【課題】  波形劣化した光データ信号から光、および電気クロック信号を同時に直接抽出できる光・電気クロック信号抽出装置を提供するとともに、光データ信号からのクロック抽出感度を向上させ、必要な光データ信号のパワーを低減し、光データ信号と異なるビットレートの光クロック信号の抽出と、光クロック信号の波長と光データ信号の波長を自由に設定できる光・電気クロック信号抽出装置を提供することを目的とする。【解決手段】  光・電気クロック抽出装置は、閉ループ正帰還回路を構成し、光データ信号を入力とし、前記光データ信号と位相同期し、かつ振幅一定の光クロック信号と、電気クロック信号を同時に生成する光・電気クロック抽出装置であって、電気クロック信号により駆動される光クロック信号源と、前記光クロック信号源から出力される光クロック信号と前記光データ信号を光方向性結合器を介して入力し、電気クロック信号を出力する電気クロック抽出回路とを備える。【選択図】  図１
2006128828.tif 000002
【特許請求の範囲】
【請求項１】
閉ループ正帰還回路を構成し、光データ信号を入力し、前記光データ信号と位相同期し、かつ振幅一定の光クロック信号と、電気クロック信号を同時に生成する光・電気クロック信号抽出装置であって、電気クロック信号により駆動される光クロック信号源と、前記光クロック信号源から出力される光クロック信号と前記光データ信号を光方向性結合器により完全に分離してそれぞれ入力し、電気クロック信号を出力する電気クロック抽出回路とを備えることを特徴とする光・電気クロック抽出装置。
【請求項２】
前記光クロック信号源から出力される前記光クロック信号の一部を、光遅延線を通過させた後、前記光データ信号と合流して前記電気クロック抽出回路に入力し、前記電気クロック抽出回路から出力される電気クロック信号を、光クロック信号源の駆動電気信号として帰還して、前記光データ信号と位相同期し、かつ振幅一定の光クロック信号と、電気クロック信号を同時に生成することを特徴とする請求項１記載の光・電気クロック信号抽出装置。
【請求項３】
前記光クロック信号源は、単一周波数レーザー光源とその出力光を前記電気クロック信号により変調する光強度変調器で構成したことを特徴とする請求項１又は２記載の光・電気クロック信号抽出装置。
【請求項４】
前記単一周波数レーザー光源と前記光強度変調器の代わりに、能動モード同期半導体レーザーを用いることを特徴とする請求項３記載の光・電気クロック信号抽出装置。
【請求項５】
前記電気クロック抽出回路は、光検出器と、増幅器と、前記電気クロック信号に同調したバンドパスフィルタとにより構成されることを特徴とする請求項１乃至４のいずれか１項記載の光・電気クロック信号抽出装置。
【発明の詳細な説明】
【技術分野】
【０００１】
本発明は、振幅・タイミング雑音、パルス広がりなどの波形劣化を引き起こした光データ信号から、光データ信号と位相同期し、かつ振幅一定の光クロック信号と、電気クロック信号を同時に生成することのできるクロック抽出装置に関し、特に、ビットレートが４０−１６０Ｇｂｉｔ／ｓの光ファイバ通信システムの中継器や受信器に用い、信号再生や多重分離に必要とされるクロック抽出機能を有する光・電気クロック信号抽出装置に関する。
【背景技術】
【０００２】
ビットレートが４０−１６０Ｇｂｉｔ／ｓの光ファイバ通信システムでは、中継器におけるデータ信号の再生や、受信器における多重分離を行うために、高速の光、および電気クロック信号を抽出する技術が必要となる。
その為、従来のクロック信号抽出装置では、光・電気ハイブリッド構成の位相同期ループ回路を用いている。位相同期ループ回路は、位相比較器と高周波の電圧制御発振器（ＶＣＯ：Ｖｏｌｔａｇｅ−Ｃｏｎｔｒｏｌｌｅｄ  Ｏｓｃｉｌｌａｔｏｒ）により構成されるが、位相比較器は光学的な手法により構成され、電圧制御発振器ＶＣＯは電子回路で構成される。
例えば、特許文献１の「超高速クロック抽出回路」では、光変調器を用いた位相比較器により誤差信号を検出して電圧制御発振器ＶＣＯを制御し、電圧制御発振器ＶＣＯの電気出力で局部発振パルスレーザー光源を駆動している。
特許文献２の「超高速クロック抽出回路」では、電圧制御発振器ＶＣＯの電気出力で光変調器を駆動して光クロック信号を得ている。
【０００３】
また、特許文献３の「光クロック信号抽出回路」では、電圧制御発振器ＶＣＯの電気出力で電界吸収型光変調器を駆動して光クロック信号を得ている。
特許文献４「光クロック信号抽出装置」では、光電子発振器（Ｏｐｔｏｅｌｅｃｔｒｏｎｉｃ  Ｏｓｃｉｌｌａｔｏｒ）と、半導体光増幅器における相互利得変調効果、または相互位相変調効果とを用いて、光クロック信号を直接抽出する装置を用いている。
図１０は特許文献４の光クロック信号抽出装置を説明する図である。
光クロック抽出装置は、入力する光データ信号に位相同期し、かつ振幅一定の光クロック信号を直接発生する光クロック抽出装置であり、バンドパスフィルタ８出力の高周波電気信号駆動により光クロック信号を発生する光クロック信号源１と、光方向性結合器２と、可変光遅延線３と、光クロック信号源１から出力される光クロック信号を前記光データ信号で強度変調する光・光変調回路４と、光サーキュレータ５と、光検出器６と、増幅器７とを備える。
入力信号である光データ信号は、例えば、光パルスの振幅やパルス幅が不揃いの信号も含む。
【０００４】
光クロック抽出装置は、光クロック信号源１からの出力の一部を可変光遅延線３と、劣化した光データ信号が入力された光・光変調回路４を通過させた後、光サーキュレータ５を介して光検出器６で受光し、光検出器６から出力される高周波電気信号を増幅器７、バンドパスフィルタ８を介して、光クロック信号源１の駆動電気信号として正帰還することにより光電子発振器を構成し、光サーキュレータ５で入力の光データ信号と位相同期し、かつ振幅一定の光クロック信号を生成する。光サーキュレータ５は信号処理の便宜上記載されているが、光サーキュレータ５および光・光変調回路４は、半導体光増幅器で構成される。
【０００５】
光・光変調回路４に光データ信号が入力されない状態でも、光クロック信号源１は自励発振動作し、発振周波数はバンドパスフィルタ８の中心周波数と、正帰還ループの遅延時間により決まる。劣化した光データ信号から光クロック信号を抽出するためには、予め光クロック信号源１の自励発振周波数を、光データ信号のビットレートに近い値に設定しておく必要がある。光クロック信号源１の自励発振周波数の調整は、可変光遅延線３により正帰還ループの遅延時間を変化させることにより行う。
【特許文献１】特開２００３−１４３０７３号公報
【特許文献２】特開平０９−２３０２９１号公報
【特許文献３】特開平０９−１０２７７６号公報
【特許文献４】特願２００４−２１４６６１号
【発明の開示】
【発明が解決しようとする課題】
【０００６】
上記特許文献１〜３に示されるような従来の光・電気ハイブリッド構成の位相同期ループ回路は、電子回路により構成した電圧制御発振器ＶＣＯを用いているために、電圧制御発振器ＶＣＯの出力として抽出されるクロック信号は電気信号のみとなる。中継器における信号再生や、受信器における多重分離では、光のクロック信号を必要とするため、電圧制御発振器ＶＣＯから出力される電気クロック信号により、パルスレーザー光源、または光変調器を駆動して光クロック信号を生成する必要がある。このため、装置が大型、複雑になり、消費電力の増大を引き起こすことになる。
特許文献４の「光クロック信号抽出装置」は、光クロック信号を直接抽出する装置を提供し、従来の光・電気ハイブリッド構成の位相同期ループ回路装置における装置の大型化、複雑化、消費電力増大の問題を解消することができる。
【０００７】
しかしながら、半導体光増幅器における相互利得変調効果、または相互位相変調効果を利用するため、光データ信号に含まれるクロック成分を抽出する感度が低く、光データ信号のパワーを増大する必要がある。さらに、クロック成分抽出感度が低いことに起因して、光データ信号と同じビットレートの光クロック信号は抽出できるが、光データ信号と異なるビットレートの光クロック信号、例えば、１６０Ｇｂｉｔ／ｓの光データ信号から４０Ｇｂｉｔ／ｓの光クロック信号を抽出することは困難である。
さらに、特許文献４の「光クロック信号抽出装置」では、抽出する光クロック信号と光データ信号とのクロストークを抑えるため、光クロック信号は光データ信号と異なる波長に設定する必要があり、動作波長に対する制約がある。
【０００８】
本発明は、上記の問題を解決するために、波形劣化した光データ信号から光、および電気クロック信号を同時に直接抽出できる光・電気クロック信号抽出装置を提供するとともに、光データ信号からのクロック抽出感度を向上させ、必要な光データ信号のパワーを低減し、光データ信号と異なるビットレートの光クロック信号の抽出と、光クロック信号の波長と光データ信号の波長を自由に設定できる光・電気クロック信号抽出装置を提供することを目的とする。
【課題を解決するための手段】
【０００９】
上記の目的を達成するため、本発明の光・電気クロック抽出装置では、電子回路により構成される従来の電圧制御発振器ＶＣＯに代わって、光、電気クロックを同時に直接発生できる光電子発振器（Ｏｐｔｏｅｌｅｃｔｒｏｎｉｃ  Ｏｓｃｉｌｌａｔｏｒ）を用いる。具体的には、
（１）  光・電気クロック抽出装置は、閉ループ正帰還回路を構成し、光データ信号を入力とし、前記光データ信号と位相同期し、かつ振幅一定の光クロック信号と、電気クロック信号を同時に生成する光・電気クロック抽出装置であって、電気クロック信号により駆動される光クロック信号源と、前記光クロック信号源から出力される光クロック信号と前記光データ信号を光方向性結合器により完全に分離してそれぞれ入力し、電気クロック信号を出力する電気クロック抽出回路とを備えることを特徴とする。
（２）  上記（１）記載の光・電気クロック信号抽出装置は、前記光クロック信号源から出力される前記光クロック信号の一部を、光遅延線を通過させた後、前記光データ信号と合流して前記電気クロック抽出回路に入力し、前記電気クロック抽出回路から出力される電気クロック信号を光クロック信号源の駆動電気信号として帰還して、前記光データ信号と位相同期し、かつ振幅一定の光クロック信号と、電気クロック信号を同時に生成することを特徴とする。
【００１０】
（３）  上記（１）又は（２）記載の光クロック信号源は、単一周波数レーザー光源とその出力光を前記電気クロック信号により変調する光強度変調器で構成したことを特徴とする。
（４）  上記（１）又は（２）記載の光クロック信号源は、上記（３）記載の単一周波数レーザー光源と前記光強度変調器の代わりに、能動モード同期半導体レーザーを用いることを特徴とする。
（５）  上記（１）乃至（４）のいずれか１項記載の電気クロック抽出回路は、光検出器と、増幅器と、前記電気クロック信号に同調したバンドパスフィルタとにより構成されることを特徴とする。
【発明の効果】
【００１１】
本発明による光クロック抽出装置では、従来の電子回路による電圧制御発振器ＶＣＯに代わり、光クロック信号、および電気クロック信号を同時に直接発生できる光電子発振器ＯＥＯを用いるため、電気から光へのクロック信号の変換装置が不要になり、構成が簡略化され、消費電力も低減できる。また、高速動作が可能な光クロック信号源と光検出器を用いることにより、電子回路による電圧制御発振器ＶＣＯに比べてより高速な動作が可能になる。また、クロック成分の抽出感度が向上するため、必要な光データ信号のパワーを低減することでき、光データ信号と異なるビットレートの光クロック信号の抽出も可能になる。さらに、光クロック信号の波長と光データ信号の波長を任意に設定することができるため、適用範囲を拡大できる。
【発明を実施するための最良の形態】
【００１２】
以下、本発明の実施の形態について図面を参照して説明する。
【実施例１】
【００１３】
図１は本発明にかかる光・電気クロック信号抽出装置の概略を説明する図である。光・電気クロック信号抽出装置は、入力する光データ信号に位相同期し、かつ振幅一定の光クロック信号と、電気クロック信号を同時に直接発生する光・電気クロック抽出装置であり、光クロック信号源１と、光方向性結合器２と、可変光遅延線３と、電気クロック抽出回路９と、パワーディバイダ１０とを備える。光クロック信号源１は、高周波電気変調信号を入力することにより光クロック信号を発生する機能を有する。電気クロック抽出回路９は、光クロック信号源１から出力される光クロック信号と、光データ信号を入力として、電気クロック信号を出力する機能を有する。
入力信号である光データ信号は、例えば、光パルスの振幅、位置、パルス幅が不揃いの信号も含む。光・電気クロック抽出信号装置では、光クロック信号源１の出力を光方向性結合器２により２分岐して、一方の分岐出力は光クロック信号として外部に取り出し、他方の分岐出力は可変光遅延線３を通過させた後、光方向性結合器２により劣化した光データ信号と合流させて、電気クロック抽出回路９に入力する。
【００１４】
このように、光データ信号と光クロック信号は、光クロック信号源１と可変光遅延線３の間に設けた光方向性結合器２により完全に分離されるため、クロストークは全く生じない。これにより、光データ信号の波長と光クロック信号の波長は任意に設定することができる。
電気クロック抽出回路９から出力される高周波電気クロック信号をパワーディバイダ１０により２分し、一方は電気クロック信号として出力する。パワーディバイダ１０の他方の出力は光クロック信号源１の駆動電気信号として正帰還することにより光電子発振器を構成し、入力の光データ信号と位相同期し、かつ振幅一定の光クロック信号を生成する。
【００１５】
光電子発信器は、本発明の光・電気クロック信号抽出装置と比べると、劣化した光データ信号を入力して位相同期した光クロック信号を発生するか、回路の自励発信周波数で発信動作するかにより決まる。
即ち、光電子発信器と光・電気クロック信号抽出装置は、構成上同じ回路構成を有する。しかし、データ信号を入力するのが光・電気クロック信号抽出装置であり、データ信号を入力しないで単独で発信動作するのが光電子発信器である。
図１の光電子発振器は、光クロック信号源、光方向性結合器２、可変光遅延線３、光方向性結合器２、電気クロック抽出回路９、パワーディバイダ１０により構成される。
【００１６】
図２は単一周波数レーザー光源と光強度変調器を用いた光クロック信号源を説明する図である。
前記光クロック信号源１は、単一周波数レーザー光源１１と、その出力光を電気信号により変調する光強度変調器１２とから構成する。
光強度変調器１２としては、Ｍａｃｈ−Ｚｅｈｎｄｅｒ型の光強度変調器、または電界吸収型光変調器を用い、振幅、タイミング、およびパルス幅が一定の光クロック信号として出力する。
【００１７】
図３は前記能動モード同期半導体レーザーを用いた光クロック信号源を説明する図である。
また、前記光クロック信号源１は単一周波数レーザー光源１１と光強度変調器１２の代わりに、能動モード同期半導体レーザー１３を用いることができる。
能動モード同期半導体レーザー１３は、直接変調し、光データ信号のビットレートと同じ周波数で動作できることが必要である。能動モード同期半導体レーザー１３を用いる方式は、機能的には前記単一周波数レーザー光源１１と光強度変調器１２を用いる方式と同一であるが、パルス幅のより小さい光クロック信号を発生することが可能である。
図２の前記電気クロック抽出回路９は、光クロック信号や光データ信号からクロック成分を抽出し、高周波電気信号として出力する機能を有する。
【００１８】
図４は電気クロック抽出回路９を説明する図である。電気クロック抽出回路９は、光検出器６と、増幅器７と、バンドパスフィルタ８とから構成される。光検出器６に入力された光信号が電気信号に変換され、バンドパスフィルタ８によりクロック周波数成分が取り出される。光データ信号は光検出器６に直接入力されるため、クロック成分に対する抽出感度が向上し、抽出される光クロック信号の純度と、信号対雑音比が著しく向上する。また、抽出感度が向上することにより、光データ信号と同じビットレートの光クロック信号抽出だけでなく、光データ信号と異なるビットレートの光クロック信号抽出、例えば、ビットレートが１６０Ｇｂｉｔ／ｓの光データ信号からビットレートが４０Ｇｂｉｔ／ｓの光クロック信号抽出が可能となる。
【００１９】
光データ信号が入力されない状態でも、光電子発振器は自励発振動作し、発振周波数はバンドパスフィルタ８の中心周波数と、正帰還ループの遅延時間により決まる。劣化した光データ信号から光クロック信号を抽出するためには、予め光電子発振器の自励発振周波数を、光データ信号のビットレートに近い値に設定しておく必要がある。光電子発振器の自励発振周波数の調整は、可変光遅延線３により正帰還ループの遅延時間を変化させることにより行う。
【００２０】
自励発振動作している光電子発振器に光データ信号を入力すると、光データ信号に含まれるクロック周波数成分が、電気クロック抽出回路９により取り出され、光クロック信号源１に正帰還される。これにより、光電子発振器は注入同期動作に移行し、入力の光データ信号と位相同期し、かつ振幅一定の光クロック信号を発生する。また、光電子発振器はパワーディバイダ１０を介して、入力の光データ信号と位相同期し、かつ振幅一定の電気クロック信号を発生する。
【実施例２】
【００２１】
図５は、本発明の光・電気クロック信号抽出装置を用いた３９．８１３１２Ｇｂｉｔ／ｓクロック抽出実験を説明する図である。実験に用いた光・電気クロック抽出装置は、主に、図２に示す光クロック信号源と、図４に示す電気クロック抽出回路から構成される。図５に示すように、本発明にかかる光クロック抽出装置は、ビットレートが４０Ｇｂｉｔ／ｓ、または１６０Ｇｂｉｔ／ｓの光データ信号を発生する光データ信号生成部と、光クロック信号を抽出する光電子発振器から構成される。
光データ信号生成部は、所定の周波数、例えばＩＴＵ−Ｔの標準である９．９５３２８ＧＨｚの信号を発生するシンセサイザ１４と、シンセサイザ１４からの信号に基づき光クロック信号を発生する能動モード同期光ファイバリングレーザー１５と、シンセサイザ１４の信号を基に１、０のパルスパターンを発生する符号発生器１６と、前記光クロック信号を１、０のパルスパターン信号で変調する光変調器１２と、変調された光データ信号をより高いビットレートの光データ信号に変換するＯＴＤＭマルチプレクサ１７とからなる。
【００２２】
光データ信号生成部では、繰り返し周波数が９．９５３２８ＧＨｚの能動モード同期光ファイバリングレーザー１５から発生するパルス幅が約３ｐｓの光パルスを、光強度変調器１２に入力し、符号発生器１６から出力される２３１−１疑似ランダムビット列でデータ変調を行った後、ＯＴＤＭマルチプレクサ１７により４倍、または１６倍の光時分割多重化（ＯＴＤＭ：Ｏｐｔｉｃａｌ  Ｔｉｍｅ  Ｄｉｖｉｓｉｏｎ  Ｍｕｌｔｉｐｌｅｘｉｎｇ）を行い、３９．８１３１２Ｇｂｉｔ／ｓ、または、１５９．２５２４６Ｇｂｉｔ／ｓのデータ信号を生成する。光データ信号の中心波長は１５５０ｎｍである。
【００２３】
一方、光電子発振器は、単一周波数レーザー光源１１、光強度変調器１２、光方向性結合器２、可変光遅延線３、光検出器６、増幅器７、バンドパスフィルタ８により構成される。単一周波数レーザー光源１１から出力された波長１５４０ｎｍの光は、光強度変調器１２を通過することにより光クロック信号に変換され、光方向性結合器２によりその一部が外部に取り出される。残りの光クロック信号は、可変光遅延線３を通過した後、光検出器６により電気信号に変換され、２段の増幅器７と、中心周波数が３９．８１３ＧＨｚ、３ｄＢ通過帯域幅が４１ＭＨｚのバンドパスフィルタ８を介して、光強度変調器１２に正帰還される。なお、図１の光・電気クロック信号抽出装置の概略を表す図では、電気クロック信号を取り出すために、パワーディバイダ１０を利用しているが、図５においては、光強度変調器１２の外部終端出力端子から電気クロック信号を取り出している。
【００２４】
光方向性結合器２に光データ信号が入力されない場合、光電子発振器は自励発振し、周波数が３９．８１３ＧＨｚ付近の光クロック信号を生成する。自励発振の繰り返し周波数はループの遅延時間や光強度変調器７の直流バイアス電圧に依存し、可変光遅延線３を調整して３９．８１３１２ＧＨｚ付近に設定する。この状態で光方向性結合器２を介して光データ信号を入力すると、光データ信号に同期した周波数３９．８１３１２ＧＨｚの光、及び電気クロック信号を同時に発生する。
【００２５】
図６は抽出された電気クロック信号のスペクトラムを表す図である。横軸はオフセット周波数ｆｃを基準とした周波数（ＭＨｚ）、縦軸は規格化ＲＦパワー（ｄＢ）を表す。光データ信号のビットレートは３９．８１３１２Ｇｂｉｔ／ｓ、分解能帯域幅は１０ｋＨｚである。光データ信号を入力しないフリーランニング状態においても、高いスペクトル純度が得られているが、光データ信号を入力して注入同期を起こすことにより、サイドバンドの強度が減少し、スペクトル純度が更に向上している。
【００２６】
図７は抽出された光クロック信号の光スペクトラムを表す図である。横軸はオフセット波長λｃを基準とした波長（ｎｍ）、縦軸は規格化パワー（ｄＢ）を表す。光データ信号のビットレートは３９．８１３１２Ｇｂｉｔ／ｓ、分解能帯域幅は１０ｐｍである。光クロック信号に現れている多数のサイドバンドから、光データ信号に含まれるクロック周波数成分が抽出されていることがわかる。
【００２７】
図８は光サンプリング波形を表す図である。図８（上図）は、ビットレート３９．８１３１２Ｇｂｉｔ／ｓの光データ信号、図８（下図）は、抽出された光クロック信号の光サンプリング波形を表す図である。横軸は時間（ｐｓ）、縦軸は光強度（ｍＷ）を表す。サンプリング間隔は２．５ｆｓ、時間分解能はおよそ８００ｆｓである。データ成分が除去されて、繰り返し周波数３９．８１３１２ＧＨｚの光クロック信号が抽出されている。光クロック信号のパルス幅は９．８ｐｓである。
【００２８】
図９は光サンプリング波形を表す図である。図９（上図）は、ビットレート１５９．２５２４６Ｇｂｉｔ／ｓの光データ信号、図９（下図）は、抽出された光クロック信号の光サンプリング波形を表す図である。横軸は時間（ｐｓ）、縦軸は光強度（ｍＷ）を表す。光データ信号のビットレートの１／４に相当する繰り返し周波数３９．８１３１２ＧＨｚの光クロック信号が抽出されている。光クロック信号のパルス幅は１１．３ｐｓである。このような分周されたクロック信号の抽出は、受信器における多重分離を実現する上で有効な技術である。
本発明は以上述べたように構成したことにより所期の効果を奏する。本発明の光クロック抽出装置を構成する構成要素は所期の機能を奏する限りにおいて変更可能である。
【産業上の利用可能性】
【００２９】
本発明は、従来の発振器ＶＣＯでは不可能であった光クロック信号と電気クロック信号の同時、直接発生が可能になる。電気クロック信号から光クロック信号への変換装置が不要になるため、システムを簡素化でき、消費電力も大幅に低減できる。これにより、ビットレートが４０Ｇｂｉｔ／ｓ以上の光ファイバ通信システムにおける中継器や受信器への適用が可能になる。
【図面の簡単な説明】
【００３０】
【図１】本発明にかかる光・電気クロック抽出装置の概略を説明する図である。
【図２】単一周波数レーザー光源と光強度変調器を用いた光クロック信号源を説明する図である。
【図３】能動モード同期半導体レーザーを用いた光クロック信号源を説明する図である。
【図４】電気クロック抽出回路を説明する図である。
【図５】本発明の光・電気クロック信号抽出装置を用いた39.81312Gbit/s光クロック抽出実験を説明する図である。
【図６】電気クロック信号のスペクトラムを表す図である。
【図７】光クロック信号のスペクトラムを表す図である。
【図８】３９．８１３１２Ｇｂｉｔ／ｓ光データ信号（上）、および数３９．８１３１２ＧＨｚ光クロック信号（下）の波形を表す図である。
【図９】１５９．２５２４６Ｇｂｉｔ／ｓ光データ信号（上）、および３９．８１３１２ＧＨｚ光クロック信号（下）の波形を表す図である。
【図１０】特許文献４の発明にかかる光クロック信号抽出装置を説明する図である。
【符号の説明】
【００３１】
１    光クロック信号源
２    光方向性結合器
３    可変光遅延線
４    光・光変調回路
５    光サーキュレータ
６    光検出器
７    増幅器
８    バンドパスフィルタ
９    電気クロック抽出回路
１０    パワーディバイダ
１１    単一周波数レーザー光源
１２    光強度変調器
１３    能動モード同期半導体レーザー
１４    シンセサイザ
１５    能動モード同期光ファイバリングレーザー
１６    符号発生器
１７    ＯＴＤＭマルチプレクサ
【図１】
2006128828.tif 000003
【図２】
2006128828.tif 000004
【図３】
2006128828.tif 000005
【図４】
2006128828.tif 000006
【図５】
2006128828.tif 000007
【図６】
2006128828.tif 000008
【図７】
2006128828.tif 000009
【図８】
2006128828.tif 000010
【図９】
2006128828.tif 000011
【図１０】
2006128828.tif 000012